(57)【要約】【課題】内部にクラックを有する光透過性のある透明な鉱物を利用して、散乱光として周囲に光が出射されるようにし、周囲を鉱物から放たれる光にて簡単に照らし出すことのできる照明装置を提供する。【解決手段】天面に開口された透孔８に外表面が研磨された光透過性の鉱物２を乗せ置き、台座３の内部に配した光源４からの光を鉱物２に入射させて、その鉱物２の内部にあるクラックに光は反射させて光反射面１１が鉱物２の内部に見えるようにし、前記鉱物２を透孔位置に対して分離可能に乗せ置き、透孔８の少なくとも上下方向の中心軸周りでの乗せ置き位置の変更により、光反射面１１の位置変更を可能にした。【選択図】図１
0003167243.tif 000002
【実用新案登録請求の範囲】
【請求項１】
断熱性を備えた素材からなり天面に開口された透孔が内部に形成された空室と連通している台座と、前記台座の空室に配置されて前記透孔を通して外方に向けて光照射して、明るさを調整可能とする光源と、前記台座の透孔の位置に配置されて光透過する鉱物であって、入射光が内部のクラック面で反射してなる光反射面が、研磨された外表面を通して目視可能に設けられている鉱物とを備え、
前記鉱物は透孔位置に対して分離可能に乗せ置かれて、透孔の少なくとも上下方向の中心軸周りでの乗せ置き位置の変更により、前記光反射面の位置変更が可能に構成されていることを特徴とする照明器具。
【考案の詳細な説明】
【技術分野】
【０００１】
本考案は、鑑賞用として表面が研磨されて透明度を有している鉱物を利用した照明器具に関するものである。
【背景技術】
【０００２】
従来から透明度の高い水晶は観賞用の置物として利用されているが、透明度の高い水晶玉や水晶柱に下方からＬＥＤ光源からの光を入射させ、その水晶玉、水晶柱を介して外部に光を照射するようにした照明装置が提案されている（特許文献１）。
【先行技術文献】
【特許文献】
【０００３】
【特許文献１】特開２００９−１１０８３１号公報
【考案の概要】
【考案が解決しようとする課題】
【０００４】
しかしながら、上記照明装置にあっては水晶玉や水晶柱に下部から入射した光は、水晶玉や水晶柱の側面（外界との境界面）で屈折して上部側に集光し、上方に向けて出射するようになってしまい、周囲に光を放つ度合いが極めて低いとともに、その照明装置が照らし出す方向を簡単に変更することができないという問題がある。
【０００５】
そこで本考案は上記事情に鑑み、内部にクラックを有する光透過性のある透明な鉱物を利用して、散乱光として周囲に光が出射されるようにすることを課題とし、周囲を鉱物から放たれる光にて簡単に照らし出すことのできる照明装置の提供を目的とするものである。
【課題を解決するための手段】
【０００６】
本考案は上記課題を考慮してなされたもので、断熱性を備えた素材からなり天面に開口された透孔が内部に形成された空室と連通している台座と、前記台座の空室に配置されて前記透孔を通して外方に向けて光照射して、明るさを調整可能とする光源と、前記台座の透孔の位置に配置されて光透過する鉱物であって、入射光が内部のクラック面で反射してなる光反射面が、研磨された外表面を通して目視可能に設けられている鉱物とを備え、
前記鉱物は透孔位置に対して分離可能に乗せ置かれて、透孔の少なくとも上下方向の中心軸周りでの乗せ置き位置の変更により、前記光反射面の位置変更が可能に構成されていることを特徴とする照明器具を提供して、上記課題を解消するものである。
【考案の効果】
【０００７】
本考案によれば、台座にある光源から鉱物に入射した光はクラック面に達すると乱反射することとなり、そのクラック面に光が反射したことで形成される光反射面が目視されることで鉱物中に輝き面が得られて、鉱物の美観を向上させるとともに、光反射面で反射した光が鉱物の周方向に向けて放たれることとなり、照明装置の周囲を照らし出すことができるようになる。そして、鉱物自体の向きを変更することで光反射面の見え方が変化し、照らし出す方向を自由に選択できるという効果を奏する。
【図面の簡単な説明】
【０００８】
【図１】本考案に係る照明装置の一例を示す説明図である。
【図２】一例における台座を示す説明図である。
【考案を実施するための形態】
【０００９】
つぎに本考案を図示の実施の形態に基づいて詳細に説明する。
図中１は照明装置で、該照明装置１はクラックを内部に有する水晶玉である鉱物２と、この鉱物２を乗せ置く木製の台座３と、前記台座３の内部に配置される光源４とから構成されている。前記台座３は図示されているように外形を略直方体状とした台座本体５とこの台座本体５の下部に配置される光源取付板６とを組み合わせたもので、台座本体５の内部に下面を光源挿入口としている平断面円状の空室７があり、この空室７が台座本体５の天面中央に開口されている透孔８に連続している。また、台座本体５の下部に配される前記光源取付板６は四隅に立てられたボス９を台座本体５の下面四隅に配置された差し込み穴１０に差し込むようにすることで、台座上下方向に分離可能に重ね合わされるとともに横方向に位置ずれしないように設けられている。なお、台座本体５と光源取付板６とを組み合わせるに際して、前記ボス９を差し込み穴１０に差し込む形態に限定されない。
【００１０】
上記光源取付板６の上面であって空室７の中心に対応する位置には、ソケットに白熱電球を立てて装着することで上記光源４が設けられており、ソケットに接続されて台座３の外部に引き出されている電源コードに組み付けられた調光装置により光源４の明るさが変更可能になっている。なお、点灯する白熱電球は発熱することになるが、台座本体５と光源取付板６とは共に木製であるため断熱性が高く、点灯中であっても素手で台座３を安全に取り扱えるように設けられている。光源４として白熱電球を示したがこれに限定されるものではなく、また、調光装置の態様も図示した実施例に限定されるものではない。
【００１１】
上記光源４の点灯により光が通る透孔８に上記鉱物２が乗せ置かれていて、その鉱物２が表面を球状に研磨加工された光透過性のある水晶玉であって、鉱物２の内部に光源４から放たれた光が入射するように設けられている。そして、上述したように鉱物２（水晶玉）にはその内部にクラックが生じているものであることから、入射した光がクラックに当たることで散乱光を生じ、鉱物２の側面から散乱光が外部に放たれることで、クラックでの光反射した部分が光り輝く光反射面１１として目視できるようになり、側面から外部に放たれる散乱光が強弱のある照明光として周囲を照らし出し、明暗のある独特な雰囲気をその照明装置の回りに作り出すことができるようになる。
【００１２】
鉱物２は台座３の円状の透孔８に対して取り外し自由に乗せ置かれているため、透孔８の中心を台座高さ方向に通る中心軸に対して鉱物２の向きを変えることができ、光輝する光反射面１１の見え方と周囲の照らし出し方を、簡単に変更することができる。勿論、鉱物２が球体であるため、前記中心軸回りの回転に限定されるものではなく、向きの変え方は自由である。
【００１３】
上記実施の例では鉱物２を球状の水晶玉として説明したが、本発明はこの実施の例に限定されるものではなく、鉱物２が水晶柱であってもよく、さらにクラックを内部に有して表面研磨された光透孔性のある他種の鉱物であってもよい。
【符号の説明】
【００１４】
１…照明装置
２…鉱物
３…台座
４…光源
５…台座本体
６…光源取付板
７…空室
８…透孔
９…ボス
１０…差し込み穴
１１…光反射面
【図１】
0003167243.tif 000003
【図２】
0003167243.tif 000004